(57)【要約】【課題】従来に比して、汎用性に優れ、かつ効率の良い回遊動線を形成できるようにすることである。【解決手段】建物１が、玄関（玄関ドア３４）から建物１中央まで伸びる廊下１０（第一廊下１０）と、廊下１０に対して壁１０ａ〜１０ｆを間に挟んだ状態で隣接する複数の領域１１〜１５，３５と、を備えており、複数の回遊動線ＴＬ１〜ＴＬ４が、廊下１０を通じて重複し合い、かつ、廊下１０から複数の領域１１〜１５，３５のいずれかを通過して廊下１０に戻る状態で形成されている。【選択図】図４
2020193491.tif 000002
【特許請求の範囲】
【請求項１】
玄関から建物中央まで伸びる廊下と、前記廊下に対して壁を間に挟んだ状態で隣接する複数の領域と、を備えており、
複数の回遊動線が、前記廊下を通じて重複し合い、かつ、前記廊下から前記複数の領域のいずれかを通過して前記廊下に戻る状態で形成されていることを特徴とする建物。
【請求項２】
請求項１に記載の建物において、
前記複数の領域には、主寝室と、キッチンルームと、前記主寝室と前記キッチンルームとの間に位置する第一収納室と、ガレージと、前記ガレージに隣接する第二収納室と、前記玄関と前記ガレージとを繋ぐ屋外空間と、が含まれ、
前記主寝室、前記キッチンルーム、前記第一収納室は、前記廊下の長さ方向に沿う一側縁に沿って並べられて配置され、
前記ガレージ、前記第二収納室は、前記廊下の長さ方向に沿う他側縁に沿って並べられて配置されていることを特徴とする建物。
【請求項３】
請求項２に記載の建物において、
前記複数の回遊動線には、
前記廊下と、前記主寝室と、前記第一収納室とを周回可能な第一回遊動線と、
前記廊下と、前記キッチンルームと、前記第一収納室とを周回可能な第二回遊動線と、
前記廊下と、前記ガレージと、前記第二収納室と、前記屋外空間とを周回可能な第三回遊動線と、が含まれていることを特徴とする建物。
【請求項４】
請求項３に記載の建物において、
前記第一回遊動線と前記第二回遊動線は、前記廊下の長さ方向と直交する方向で更に重複し合っていることを特徴とする建物。
【請求項５】
請求項３又は４に記載の建物において、
前記キッチンルームには、建物内の壁から離間するアイランド型のキッチン台が配置されており、
前記複数の回遊動線には、前記廊下と、前記キッチンルームにおける前記キッチン台の周囲とを周回可能な補助回遊動線が含まれ、当該補助回遊動線と前記第二回遊動線は、前記廊下の長さ方向と直交する方向で更に重複し合っていることを特徴とする建物。
【請求項６】
請求項２〜５のいずれか一項に記載の建物において、
前記主寝室は、就寝スペースと、水廻りスペースと、ウォークインクローゼットと、を有しており、
前記第一回遊動線は、前記廊下から前記就寝スペース、前記水廻りスペース、前記ウォークインクローゼット、前記第一収納室を通過し、前記廊下に戻る状態で形成されていることを特徴とする建物。
【発明の詳細な説明】
【技術分野】
【０００１】
本発明は、住宅等の建物に関する。
【背景技術】
【０００２】
住宅の間取りに“行き止まり”の箇所が多いと、同じ場所を行き来する回数が多くなってしまい、家事を行う際の効率が悪い場合がある。そこで、例えば特許文献１における建物のように、中心に位置する収納室の内部と当該収納室の周囲を含む回遊動線を形成し、建物内における移動のしやすさを向上させることが行われている。
【先行技術文献】
【特許文献】
【０００３】
【特許文献１】特開２０１３−１２４４６８号公報
【発明の概要】
【発明が解決しようとする課題】
【０００４】
ところで、特許文献１における建物は、収納室を中心にして放射状に複数の部屋が配置された状態となっている。そのため、収納室を通じた動線は、各部屋の行き来を容易にし得るものの、収納室が中心に配置された間取り以外には適用することが難しい。しかも、例えば収納室におけるコーナー部の外側に配置された部屋（例えばクローゼット１７）のように、部屋によっては、他の部屋（例えばキッチン１３）との間を行き来しにくい場合もある。
【０００５】
本発明は上記事情に鑑みてなされたものであり、その課題は、従来に比して、汎用性に優れ、かつ効率の良い回遊動線を形成できるようにすることである。
【課題を解決するための手段】
【０００６】
請求項１に記載の発明は、建物１であって、例えば図１〜図４に示すように、玄関（玄関ドア３４）から建物１中央まで伸びる廊下１０（第一廊下１０）と、前記廊下１０に対して壁１０ａ〜１０ｆを間に挟んだ状態で隣接する複数の領域１１〜１５，３５と、を備えており、
複数の回遊動線ＴＬ１〜ＴＬ４が、前記廊下１０を通じて重複し合い、かつ、前記廊下１０から前記複数の領域１１〜１５，３５のいずれかを通過して前記廊下１０に戻る状態で形成されていることを特徴とする。
【０００７】
請求項１に記載の発明によれば、複数の回遊動線ＴＬ１〜ＴＬ４が、廊下１０を通じて重複し合い、かつ、廊下１０から複数の領域１１〜１５，３５のいずれかを通過して廊下１０に戻る状態で形成されているので、廊下１０と、当該廊下１０に対して壁１０ａ〜１０ｆを間に挟んだ状態で隣接する複数の領域１１〜１５，３５とを複数の回遊動線ＴＬ１〜ＴＬ４で接続することができる。これにより、玄関から建物１中央まで伸びる廊下１０と、当該廊下１０に隣接する複数の領域１１〜１５，３５とを連続的に周回移動することができるので、従来に比して、汎用性に優れ、かつ効率の良い回遊動線を形成することができる。
【０００８】
請求項２に記載の発明は、例えば図３，図４に示すように、請求項１に記載の建物１において、
前記複数の領域１１〜１５，３５には、主寝室１１と、キッチンルーム１２と、前記主寝室１１と前記キッチンルーム１２との間に位置する第一収納室１３と、ガレージ１４と、前記ガレージ１４に隣接する第二収納室１５と、前記玄関（玄関ドア３４）と前記ガレージ１４とを繋ぐ屋外空間（玄関ポーチ３５を含む屋外空間）と、が含まれ、
前記主寝室１１、前記キッチンルーム１２、前記第一収納室１３は、前記廊下１０の長さ方向に沿う一側縁に沿って並べられて配置され、
前記ガレージ１４、前記第二収納室１５は、前記廊下１０の長さ方向に沿う他側縁に沿って並べられて配置されていることを特徴とする。
【０００９】
請求項２に記載の発明によれば、複数の領域１１〜１５，３５には、主寝室１１と、キッチンルーム１２と、第一収納室１３と、ガレージ１４と、第二収納室１５と、屋外空間と、が含まれているので、廊下１０を通じてこれらの領域１１〜１５，３５を周回移動することができる。
さらに、主寝室１１、キッチンルーム１２、第一収納室１３は、廊下１０の長さ方向に沿う一側縁に沿って並べられて配置され、ガレージ１４、第二収納室１５は、廊下１０の長さ方向に沿う他側縁に沿って並べられて配置されているので、玄関から建物１中央まで伸びる長尺な廊下１０を中心にした汎用性の高い間取りを実現できる。
【００１０】
請求項３に記載の発明は、例えば図３，図４に示すように、請求項２に記載の建物１において、
前記複数の回遊動線ＴＬ１〜ＴＬ４には、
前記廊下１０と、前記主寝室１１と、前記第一収納室１３とを周回可能な第一回遊動線ＴＬ１と、
前記廊下１０と、前記キッチンルーム１２と、前記第一収納室１３とを周回可能な第二回遊動線ＴＬ２と、
前記廊下１０と、前記ガレージ１４と、前記第二収納室１５と、前記屋外空間とを周回可能な第三回遊動線ＴＬ３と、が含まれていることを特徴とする。
【００１１】
請求項３に記載の発明によれば、複数の回遊動線ＴＬ１〜ＴＬ４には、廊下１０と、主寝室１１と、第一収納室１３とを周回可能な第一回遊動線ＴＬ１と、廊下１０と、キッチンルーム１２と、第一収納室１３とを周回可能な第二回遊動線ＴＬ２と、廊下１０と、ガレージ１４と、第二収納室１５と、屋外空間とを周回可能な第三回遊動線ＴＬ３と、が含まれているので、中心的な位置取りの廊下１０を通り抜けなくても、第一収納室１３と第二収納室１５と屋外空間を介して、主寝室１１とキッチンルーム１２とガレージ１４とを連続的に周回移動することができる。
【００１２】
請求項４に記載の発明は、例えば図３，図４に示すように、請求項３に記載の建物１において、
前記第一回遊動線ＴＬ１と前記第二回遊動線ＴＬ２は、前記廊下１０の長さ方向と直交する方向で更に重複し合っていることを特徴とする。
【００１３】
請求項４に記載の発明によれば、第一回遊動線ＴＬ１と第二回遊動線ＴＬ２が、廊下１０の長さ方向と直交する方向で更に重複し合っているので、第一回遊動線ＴＬ１と第二回遊動線ＴＬ２との連続性を高め、第一回遊動線ＴＬ１上にある領域と、第二回遊動線ＴＬ２上にある領域との間の行き来をより効率よく行うことができる。
【００１４】
請求項５に記載の発明は、例えば図３，図４に示すように、請求項３又は４に記載の建物１において、
前記キッチンルーム１２には、建物１内の壁から離間するアイランド型のキッチン台１２ｃが配置されており、
前記複数の回遊動線ＴＬ１〜ＴＬ４には、前記廊下１０と、前記キッチンルーム１２における前記キッチン台１２ｃの周囲とを周回可能な補助回遊動線ＴＬ４が含まれ、当該補助回遊動線と前記第二回遊動線は、前記廊下の長さ方向と直交する方向で更に重複し合っていることを特徴とする。
【００１５】
請求項５に記載の発明によれば、複数の回遊動線ＴＬ１〜ＴＬ４には、廊下１０と、キッチンルーム１２におけるアイランド型のキッチン台１２ｃの周囲とを周回可能な補助回遊動線ＴＬ４が含まれているので、補助回遊動線ＴＬ４の分、周回移動できる範囲を広くすることができる。さらに、補助回遊動線ＴＬ４と第二回遊動線ＴＬ２が、廊下１０の長さ方向と直交する方向で更に重複し合っているので、補助回遊動線ＴＬ４と第二回遊動線ＴＬ２との連続性を高め、補助回遊動線ＴＬ４上にある領域と、第二回遊動線ＴＬ２上にある領域との間の行き来をより効率よく行うことができる。
【００１６】
請求項６に記載の発明は、例えば図３，図４に示すように、請求項２〜５のいずれか一項に記載の建物１において、
前記主寝室１１は、就寝スペース１１ａと、水廻りスペース１１ｂと、ウォークインクローゼット１１ｃと、を有しており、
前記第一回遊動線ＴＬ１は、前記廊下１０から前記就寝スペース１１ａ、前記水廻りスペース１１ｂ、前記ウォークインクローゼット１１ｃ、前記第一収納室１３を通過し、前記廊下１０に戻る状態で形成されていることを特徴とする。
【００１７】
請求項６に記載の発明によれば、就寝スペース１１ａと、水廻りスペース１１ｂと、ウォークインクローゼット１１ｃと、を有する主寝室１１を中心とした第一回遊動線ＴＬ１は、廊下１０から就寝スペース１１ａ、水廻りスペース１１ｂ、ウォークインクローゼット１１ｃ、第一収納室１３を通過し、廊下１０に戻る状態で形成されているので、就寝・起床や着替え、水廻り使用等の生活動作を、第一回遊動線ＴＬ１上において効率よく行うことができる。
【発明の効果】
【００１８】
本発明によれば、従来に比して、汎用性に優れ、かつ効率の良い回遊動線を形成することができる。
【図面の簡単な説明】
【００１９】
【図１】建物を示す斜視図である。
【図２Ａ】建物を示す正面図である。
【図２Ｂ】建物を示す背面図である。
【図２Ｃ】建物を示す左側面図である。
【図２Ｄ】建物を示す右側面図である。
【図２Ｅ】建物を示す平面図である。
【図２Ｆ】図２ＡにおけるＢ−Ｂ線断面図である。
【図３】図２ＡにおけるＡ−Ａ線断面図である。
【図４】図３における要部拡大図である。
【発明を実施するための形態】
【００２０】
以下、図面を参照して本発明の実施の形態について説明する。ただし、以下に述べる実施形態には、本発明を実施するために技術的に好ましい種々の限定が付されているが、本発明の技術的範囲を以下の実施形態及び図示例に限定するものではない。なお、以下の実施形態及び図示例における方角は、あくまでも説明の便宜上設定したものである。
【００２１】
図１〜図４において符号１は建物を示す。この建物１は、平屋建ての住宅であり、南北方向よりも東西方向に長く形成されている。屋根２は、切妻屋根であり、東西方向に長い棟２ａから南北両方向に流れる屋根面を有する。
【００２２】
建物１の正面においては、北側に位置する正面外壁３が、南側に位置する正面外壁４よりも前方（東側）に突出した位置に設けられている。
北側の正面外壁３は、前後方向（正背方向）にずれて配置された第一正面外壁３１、第二正面外壁３２、第三正面外壁３３を有する。
【００２３】
最も前方に配置された第一正面外壁３１は、左右方向よりも上下方向に長い２つの縦長面と、当該２つの縦長面における上端部間に位置し、かつ上下方向よりも左右方向に長い１つの横長面と、を有して門型に形成されている。
【００２４】
第二正面外壁３２は、第一正面外壁３１よりも後方に配置され、正面視において、第一正面外壁３１における縦長面の下縁の高さ位置から横長面の下縁の高さ位置までの高さに設定されている。
また、この第二正面外壁３２は、正面視において、第一正面外壁３１における２つの縦長面間の中央付近から、右側の縦長面の位置までの幅に設定されている。さらに、この第二正面外壁３２における中央側には、窓サッシ付きの開口部３２ａが設けられている。
【００２５】
第三正面外壁３３は、第二正面外壁３２よりも後方に配置され、正面視において、第一正面外壁３１における横長面の下縁の高さ位置から下方に伸び、垂れ壁状に形成されている。また、この第三正面外壁３３は、正面視において、第一正面外壁３１における左側の縦長面の位置から第二正面外壁３２までの幅に設定されている。
【００２６】
垂れ壁状の第三正面外壁３３の奥には、玄関出入口（開口部）が形成された外壁が設けられ、玄関出入口には玄関ドア３４が設けられている。そして、玄関ドア３４の屋外側は玄関ポーチ３５となっており、玄関ドア３４の屋内側には廊下１０（以下、第一廊下１０）がある。
【００２７】
南側の正面外壁４は、後述するガレージ１４の正面に位置する外壁であり、車が出し入れされる開口部が形成されている。車が出し入れされる開口部には、当該開口部を開閉するガレージシャッター４１が設けられている。
ガレージシャッター４１は、本実施形態においては、車２台分の幅に設定されている。また、図示はしないが、ガレージシャッター４１には、当該ガレージシャッター４１が閉められた状態で人の出入りを可能とする潜り戸が設けられてもよい。
【００２８】
なお、北側の正面外壁３の上端部３ａ及び南側の正面外壁４の上端部４ａは、屋根２よりも上方に突出するように立ち上がっている。また、これら北側の正面外壁３の上端部３ａ及び南側の正面外壁４の上端部４ａは、平面視において略コ字状（略Ｃ字状又は略Ｕ字状）に形成されている。
【００２９】
建物１の背面においては、北側に位置する背面外壁５が、南側に位置する背面外壁６よりも後方（西側）に突出した位置に設けられている。その分、北側の背面外壁５の屋外側には、パティオ７が設けられている。パティオ７の上方には、屋根２が張り出して設けられている。なお、張り出した屋根２のコーナー部分は、パティオ７に設けられた支柱７ａによって支持されている。
【００３０】
続いて、建物１の内部について説明すると、上記のように、玄関ドア３４を開けて屋内に入った位置に、玄関から建物中央まで伸びる長尺な第一廊下１０が設けられている。
そして、第一廊下１０の北側には、建物１内の複数の領域として、主寝室１１と、キッチンルーム１２と、主寝室１１とキッチンルーム１２との間に位置する第一収納室１３と、が東西方向に並べられて設けられている。また、第一廊下１０の南側には、建物１内の複数の領域として、ガレージ１４と、ガレージ１４に隣接する第二収納室１５と、が東西方向に並べられて設けられている。さらに、玄関ドア３４とガレージ１４は、玄関ポーチ３５を含む屋外空間によって繋がっている。
【００３１】
主寝室１１は、第一廊下１０に対して壁１０ａを間に挟んだ状態で隣接し、キッチンルーム１２は、第一廊下１０に対して壁１０ｂを間に挟んだ状態で隣接し、第一収納室１３は、第一廊下１０に対して壁１０ｃを間に挟んだ状態で隣接している。
また、ガレージ１４は、第一廊下１０に対して壁１０ｄを間に挟んだ状態で隣接し、第二収納室１５は、第一廊下１０に対して壁１０ｅを間に挟んだ状態で隣接し、玄関ポーチ３５は、第一廊下１０に対して壁１０ｆを間に挟んだ状態で隣接している。なお、壁１０ｆに対して玄関出入口が形成され、当該玄関出入口に玄関ドア３４が設けられている。
【００３２】
主寝室１１は、玄関ポーチ３５の北側に位置するとともに、北側の正面外壁３の内側に位置しており、就寝スペース１１ａと、水廻りスペース１１ｂと、ウォークインクローゼット１１ｃと、を有する。
【００３３】
就寝スペース１１ａは、ベッド１０１などの寝具が設置された就寝のためのスペースである。就寝スペース１１ａの西側には、水廻りスペース１１ｂが配置されている。
水廻りスペース１１ｂは、平面視において略Ｌ字状に形成されており、就寝スペース１１ａのすぐ西側に位置する洗面脱衣所１１ｂ１及びトイレ１１ｂ２と、洗面脱衣所１１ｂ１の西側に位置するシャワー室１１ｂ３と、を備える。
ウォークインクローゼット１１ｃは、ウォークインローブとも呼ばれ、人が歩いて入ることができる衣類の収納スペースとなっている。そして、水廻りスペース１１ｂにおける洗面脱衣所１１ｂ１及びシャワー室１１ｂ３の南側であって、かつトイレ１１ｂ２の西側に位置している。
主寝室１１においては、就寝スペース１１ａにベッド１００とサイドテーブル１０１が設けられ、洗面脱衣所１１ｂ１に洗面台１０２が設けられ、トイレ１１ｂ２に便器１０３が設けられている。さらに、ウォークインクローゼット１１ｃには、ハンガーが掛けられる複数のハンガーパイプ１０４，１０５，１０６が設けられている。
【００３４】
主寝室１１には、複数のドア（出入口）が設けられている。すなわち、就寝スペース１１ａと第一廊下１０との間には出入口が形成され、かつ当該出入口にはドアＤ１が設けられている。また、水廻りスペース１１ｂとウォークインクローゼット１１ｃとの間には出入口が形成され、かつ当該出入口にはドアＤ２が設けられている。さらに、ウォークインクローゼット１１ｃと第一収納室１３との間には出入口が形成され、かつ当該出入口にはドアＤ３が設けられている。なお、トイレ１１ｂ２にもドアは設けられているが、符号の付与は省略する。
【００３５】
主寝室１１におけるシャワー室１１ｂ３及びウォークインクローゼット１１ｃの西側には、第一収納室１３が配置されている。
第一収納室１３は、上記のように、主寝室１１とキッチンルーム１２との間に位置しており、主寝室１１で使用する物品と、キッチンルーム１２で使用する物品とが主に収納されている。より具体的には、タオルやシーツ等のリネン類、食料品や調理器具、調理家電等が収納されている。第一収納室１３とウォークインクローゼット１１ｃとの間のドアＤ３を開けた位置にはリネン類が収納される。また、第一収納室１３の北側スペースには、食料品などが収納される。
そして、食料品などが収納される北側スペースの西側には、キッチンルーム１２との間を行き来できる出入口１３ａが形成されている。なお、この出入口１３ａは、キッチンルーム１２との間を仕切る仕切壁１３ｂに形成されている。
さらに、この第一収納室１３と第一廊下１０との間には出入口が形成され、かつ当該出入口にはドアＤ４が設けられている。
第一収納室１３においては、キッチンルーム１２との間に設けられた仕切壁１３ｂを利用し、リネン類が収納される収納棚１０７が設けられている。
【００３６】
キッチンルーム１２は、調理を行うための部屋であり、南側には、第一廊下１０との間を行き来できる出入口１２ａが形成されている。
また、第一収納室１３との間に設けられた仕切壁１３ｂの壁際には、コンロ付きキッチン台１２ｂが設置されている。さらに、コンロ付きキッチン台１２ｂと並行し、シンクが設けられたアイランド型のキッチン台１２ｃが設置されている。
アイランド型のキッチン台１２ｃは、コンロ付きキッチン台１２ｂや建物１内の壁から離間して配置されている。
キッチンルーム１２においては、コンロ付きキッチン台１２ｂの北側に離間して冷蔵庫１０８が設けられ、アイランド型のキッチン台１２ｃの北側に離間してキッチンボード（収納棚）１０９が設けられている。
【００３７】
ガレージ１４は、建物１を構成する外壁の内側に設けられた所謂ビルトインタイプの駐車スペースを指しており、南側の正面外壁４の内側に位置している。そして、南側の正面外壁４には、上記のように、車が出し入れされる開口部（ガレージシャッター４１付き）が形成されている。
また、ガレージ１４内には、車を駐車した上で人の通行を可能とするスペースが確保されており、ガレージ１４内を動線として利用できるようになっている。
ガレージ１４においては、例えば、ガレージ１４内での作業を行うための各種道具などが収納できる収納棚１１０が、第二収納室１５側の壁を利用して設けられている。
【００３８】
ガレージ１４の西側には、第二収納室１５が配置されている。第二収納室１５においては、靴を収納する収納部１１１と、掃除道具を収納する収納部１１２が造り付けられている。また、第二収納室１５においては、ガレージ１４内での作業（例えば車のメンテナンス作業など）後に手洗いや洗濯ができるように、洗面台１１３（水栓）や洗濯機１１４が設けられている。
そして、第二収納室１５の北側には、第一廊下１０との間を行き来できる出入口１５ａが形成されている。なお、この出入口１５ａは、第一廊下１０との間に設けられた壁１０ｅに形成されている。
また、この第二収納室１５とガレージ１４との間には出入口が形成され、かつ当該出入口にはドアＤ５が設けられている。なお、ガレージ１４には、西側を向く外壁に、ガレージ１４と屋外とを接続する開口部が形成され、当該開口部にもドアが設けられているが、符号の付与は省略する。
【００３９】
第一廊下１０の先（西側）には、ダイニングルーム１６及びリビングルーム１７が設けられている。ダイニングルーム１６はキッチンルーム１２の西側に位置し、リビングルーム１７はダイニングルーム１６の西側に位置している。
また、第一廊下１０の建物中央側端部及びダイニングルーム１６の南側には、映画やテレビを楽しむためのメディアルーム１８（シアタールームともいう）が設けられている。
ダイニングルーム１６においては、ダイニングテーブルセット（テーブル１１５及び複数の椅子）が設けられている。
リビングルーム１７においては、テレビ１１６及びテレビ台１１７と、リビングテーブル１１８，１１９と、ソファ１２０が設けられている。
また、リビングルーム１７の西側における屋外側には、パティオ７が設けられており、北側の背面外壁５に形成された開口部１２１（掃き出し窓）を通じてパティオ７と行き来できるようになっている。
メディアルーム１８においては、テレビ１２２及びテレビ台１２３と、リビングテーブル１２４と、ソファ１２５が設けられている。
【００４０】
第一廊下１０及びキッチンルーム１２は、ダイニングルーム１６、リビングルーム１７、メディアルーム１８に対し、壁やドア等によって明確に区切られてはいないが、キッチンルーム１２とダイニングルーム１６との間、第一廊下１０とメディアルーム１８との間には、天井から下方に伸びる平面視略Ｌ字状の垂れ壁１２ｄが設けられている。
そして、この垂れ壁１２ｄによって、第一廊下１０及びキッチンルーム１２は、ダイニングルーム１６、リビングルーム１７、メディアルーム１８に対して区切られているものとする。なお、このように垂れ壁１２ｄが設けられていることによって、キッチンルーム１２からの熱気や煙が、ダイニングルーム１６側やメディアルーム１８側に流入しにくくなるので好ましい。
【００４１】
ダイニングルーム１６及びリビングルーム１７の南側であって、かつメディアルーム１８の西側には、第二廊下１９が設けられている。この第二廊下１９も、第一廊下１０と同様に、南北方向よりも東西方向に長く形成されている。
第二廊下１９は、その長さ方向一端（東端）に設けられた納戸１９ａと、他端（西端）に設けられたトイレ１９ｂと、を有している。なお、トイレ１９ｂは、南側の背面外壁６の内側に設けられており、便器１２６が設けられている。
【００４２】
第二廊下１９の南側には、複数の部屋２０〜２３が設けられている。複数の部屋２０〜２３は、第二廊下１９の長さ方向に沿う南側縁に沿って並べられて配置されている。複数の部屋２０〜２３のうち一室は浴室２１となっており、その他の部屋２０，２２，２３は、本実施形態においては子供部屋や寝室として利用されているが、その他の用途で（例えば来客者が宿泊する部屋として）利用されてもよい。
部屋２０，２２，２３には、衣類などが収納される造り付けの収納部１２７，１２８，１２９が設けられている。
浴室２１には、バスタブ１３０と、洗面台１３１が設けられている。また、浴室２１には、タオルなどのリネン類が収納される造り付けの収納部１３２が設けられている。さらに、浴室２１は、リネン類が収納される収納部１３２の北側にシャワー室１３３を備える。
【００４３】
以上のように構成された建物１には、複数の回遊動線ＴＬ１〜ＴＬ４が、第一廊下１０を通じて重複し合い、かつ、第一廊下１０から複数の領域（主寝室１１、キッチンルーム１２、第一収納室１３、ガレージ１４、第二収納室１５、玄関ポーチ３５を含む屋内空間）のいずれかを通過して第一廊下１０に戻る状態で形成されている。
なお、回遊動線とは、建物内を回遊（周回）することを可能とする動線であり、より詳細には、建物内の、ある場所（スタート地点）から他の場所を通過し、最終的にスタート地点の場所まで戻ることが可能な動線を指す。すなわち、建物内の“行き止まり”の箇所を極力少なくするために、建物内をぐるりと回ることができるようにした通行可能なスペースである。
複数の回遊動線ＴＬ１〜ＴＬ４には、第一回遊動線ＴＬ１と、第二回遊動線ＴＬ２と、第三回遊動線ＴＬ３と、補助回遊動線ＴＬ４と、が含まれている。
【００４４】
第一回遊動線ＴＬ１は、第一廊下１０と、主寝室１１と、第一収納室１３とを周回可能とされている。より詳細に説明すると、第一回遊動線ＴＬ１は、第一廊下１０から就寝スペース１１ａ、水廻りスペース１１ｂ（１１ｂ１，１１ｂ３）、ウォークインクローゼット１１ｃ、第一収納室１３を通過し、第一廊下１０に戻る状態で形成されている。なお、このルートは逆でもよい。
第一回遊動線ＴＬ１上には、第一廊下１０と就寝スペース１１ａとの間のドアＤ１、水廻りスペース１１ｂとウォークインクローゼット１１ｃとの間のドアＤ２、ウォークインクローゼット１１ｃと第一収納室１３との間のドアＤ３、第一収納室１３と第一廊下１０との間のドアＤ４が配置されている。
【００４５】
このような第一回遊動線ＴＬ１を利用し、人は、就寝スペース１１ａで就寝・起床の生活動作を行い、洗面脱衣所１１ｂ１で着替えたり、顔を洗ったり等の生活動作を行い、シャワー室１１ｂ３でシャワーを浴び、ウォークインクローゼット１１ｃで服を選んだり、着替えたり等の生活動作を行う。また、第一収納室１３にはリネン類が収納されているため、シャワー室１１ｂ３や洗面脱衣所１１ｂ１で使用するタオルなども収納しやすく、持ち出ししやすい。
【００４６】
第二回遊動線ＴＬ２は、第一廊下１０と、キッチンルーム１２と、第一収納室１３とを周回可能とされている。より詳細に説明すると、第二回遊動線ＴＬ２は、第一廊下１０からキッチンルーム１２、第一収納室１３を通過し、第一廊下１０に戻る状態で形成されている。なお、このルートは逆でもよい。
第二回遊動線ＴＬ２上には、第一収納室１３と第一廊下１０との間のドアＤ４が配置されるとともに、キッチンルーム１２と第一収納室１３との間の出入口１３ａ、キッチンルーム１２と第一廊下１０との間の出入口１２ａが形成されている。
【００４７】
このような第二回遊動線ＴＬ２を利用し、人は、キッチンルーム１２での調理や、第一収納室１３での食料品などの収納・補充等の生活動作を行う。また、第一収納室１３にはリネン類が収納されているため、キッチンルーム１２で使用するタオルなども収納しやすく、持ち出ししやすい。
【００４８】
第三回遊動線ＴＬ３は、第一廊下１０と、ガレージ１４と、第二収納室１５と、上記の屋外空間とを周回可能とされている。より詳細に説明すると、第三回遊動線ＴＬ３は、第一廊下１０から第二収納室１５、ガレージ１４、玄関ポーチ３５を含む屋外空間を通過し、第一廊下１０に戻る状態で形成されている。なお、このルートは逆でもよい。
また、第三回遊動線ＴＬ３を構成する屋外空間は、ガレージ１４と玄関ドア３４との間を、平面視において略コ字状（略Ｃ字状又は略Ｕ字状）にルート取りができる屋外空間を指しており、この屋外空間には、ガレージ１４から屋外空間に出てすぐの箇所と、そこから玄関ポーチ３５に至るまでの箇所と、玄関ポーチ３５とが含まれているものとする。なお、ガレージシャッター４１に潜り戸を設ける場合は、ガレージシャッター４１のうち玄関ポーチ３５側に寄った位置が好ましい。
第三回遊動線ＴＬ３上には、ガレージ１４と第二収納室１５との間のドアＤ５、ガレージ１４と屋外空間との間のガレージシャッター４１、玄関ポーチ３５と第一廊下１０との間の玄関ドア３４が配置されるととともに、第一廊下１０と第二収納室１５との間の出入口１５ａが形成されている。
【００４９】
このような第三回遊動線ＴＬ３を利用し、人は、ガレージ１４にて車の乗降や荷物の積み下ろしを行った後に、第二収納室１５側に移動するか、玄関ドア３４側に移動する。また、ガレージ１４での車のメンテナンス作業や、第二収納室１５での道具や靴等の収納、衣類の洗濯等の生活動作を行う。
【００５０】
補助回遊動線ＴＬ４は、第一廊下１０と、キッチンルーム１２におけるアイランド型のキッチン台１２ｃの周囲とを周回可能とされている。より詳細に説明すると、補助回遊動線ＴＬ４は、第一廊下１０からキッチンルーム１２、ダイニングルーム１６を通過し、第一廊下１０に戻る状態で形成されている。なお、このルートは逆でもよい。
補助回遊動線ＴＬ４上には、第一廊下１０とキッチンルーム１２との間の出入口１２ａが形成されている。
【００５１】
このような補助回遊動線ＴＬ４を利用し、人は、キッチンルーム１２で作られた料理をダイニングルーム１６に運んだり、食べ終わった後の食器を下げたりする。
【００５２】
複数の回遊動線ＴＬ１〜ＴＬ４は、第一廊下１０を通じて重複し合っているため、一つの大きな回遊動線としても機能することになる。これにより、各回遊動線ＴＬ１〜ＴＬ４を利用して行われる生活動作を全て連携させることができる。
例えば、人は、就寝スペース１１ａで起床し、シャワー室１１ｂ３でシャワーを浴び、洗面脱衣所１１ｂ１やウォークインクローゼット１１ｃで着替えを行い、キッチンルーム１２で料理を作り、ダイニングルーム１６で食事し、ガレージ１４で車に乗って外出する、といった流れで生活動作を行うことができる。つまり、このような例では、朝起きてから仕事に出かけるまでに“行き止まり”の箇所に当たる場面が少なく、スムーズに外出する流れが形成されていることになる。要するに、複数の回遊動線ＴＬ１〜ＴＬ４は、第一廊下１０を通じて重複し合っているので、建物１内での生活動作が“行き止まり”の箇所で滞る場面が少なくなり、よりスムーズな生活動作を行うことができるようになっている。
しかも、第一回遊動線ＴＬ１と第二回遊動線ＴＬ２は、第一廊下１０の長さ方向と直交する方向で更に重複し合っている。より具体的には、第一収納室１３内で第一回遊動線ＴＬ１と第二回遊動線ＴＬ２とが重複し合っている。そのため、これらの回遊動線ＴＬ１，ＴＬ２は、第一廊下１０だけでなく、第一廊下１０から直交する方向においても連続することになり、これらの回遊動線ＴＬ１，ＴＬ２を利用して行われる生活動作を連携させやすい。
さらに、補助回遊動線ＴＬ４と第二回遊動線ＴＬ２は、第一廊下１０の長さ方向と直交する方向で更に重複し合っている。より具体的には、キッチンルーム１２におけるコンロ付きキッチン台１２ｂとアイランド型キッチン台１２ｃとの間で補助回遊動線ＴＬ４と第二回遊動線ＴＬ２とが重複し合っている。そのため、これらの回遊動線ＴＬ４，ＴＬ２は、第一廊下１０だけでなく、第一廊下１０から直交する方向においても連続することになり、これらの回遊動線ＴＬ４，ＴＬ２を利用して行われる生活動作を連携させやすい。
【００５３】
なお、以上のような建物１に採用される各種ドア（玄関ドア３４、ドアＤ１〜Ｄ５、その他のドア）の開閉方式（開き戸、引戸、引き違い戸、引き込み戸、折戸等）は特に限定されるものではなく、ドアの設けられる場所に応じて好適な方式が適宜採用されるものとする。
また、第一廊下１０に対して壁１０ａ〜１０ｆを間に挟んだ状態で隣接する複数の領域として、主寝室１１、キッチンルーム１２、第一収納室１３、ガレージ１４、第二収納室１５、玄関ポーチ３５を含む屋内空間を挙げたが、これに限られるものではなく、他の機能を有する部屋であってもよい。例えば、ガレージ１４の代わりに、客間などが採用されてもよい。この場合、第三回遊動線ＴＬ３は、屋外空間を含まない形態としてもよい。
【００５４】
本実施の形態によれば、複数の回遊動線ＴＬ１〜ＴＬ４が、第一廊下１０を通じて重複し合い、かつ、第一廊下１０から複数の領域１１〜１５，３５のいずれかを通過して第一廊下１０に戻る状態で形成されているので、第一廊下１０と、当該第一廊下１０に対して壁１０ａ〜１０ｆを間に挟んだ状態で隣接する複数の領域１１〜１５，３５とを複数の回遊動線ＴＬ１〜ＴＬ４で接続することができる。これにより、玄関から建物１中央まで伸びる第一廊下１０と、当該第一廊下１０に隣接する複数の領域１１〜１５，３５とを連続的に周回移動することができるので、従来に比して、汎用性に優れ、かつ効率の良い回遊動線を形成することができる。
【００５５】
また、複数の領域１１〜１５，３５には、主寝室１１と、キッチンルーム１２と、第一収納室１３と、ガレージ１４と、第二収納室１５と、屋外空間と、が含まれているので、第一廊下１０を通じてこれらの領域１１〜１５，３５を周回移動することができる。
さらに、主寝室１１、キッチンルーム１２、第一収納室１３は、第一廊下１０の長さ方向に沿う一側縁に沿って並べられて配置され、ガレージ１４、第二収納室１５は、第一廊下１０の長さ方向に沿う他側縁に沿って並べられて配置されているので、玄関から建物１中央まで伸びる長尺な第一廊下１０を中心にした汎用性の高い間取りを実現できる。
【００５６】
また、複数の回遊動線ＴＬ１〜ＴＬ４には、第一廊下１０と、主寝室１１と、第一収納室１３とを周回可能な第一回遊動線ＴＬ１と、第一廊下１０と、キッチンルーム１２と、第一収納室１３とを周回可能な第二回遊動線ＴＬ２と、第一廊下１０と、ガレージ１４と、第二収納室１５と、屋外空間とを周回可能な第三回遊動線ＴＬ３と、が含まれているので、中心的な位置取りの第一廊下１０を通り抜けなくても、第一収納室１３と第二収納室１５と屋外空間を介して、主寝室１１とキッチンルーム１２とガレージ１４とを連続的に周回移動することができる。
【００５７】
また、第一回遊動線ＴＬ１と第二回遊動線ＴＬ２が、廊下１０の長さ方向と直交する方向で更に重複し合っているので、第一回遊動線ＴＬ１と第二回遊動線ＴＬ２との連続性を高め、第一回遊動線ＴＬ１上にある領域と、第二回遊動線ＴＬ２上にある領域との間の行き来をより効率よく行うことができる。
【００５８】
また、複数の回遊動線ＴＬ１〜ＴＬ４には、第一廊下１０と、キッチンルーム１２におけるアイランド型のキッチン台１２ｃの周囲とを周回可能な補助回遊動線ＴＬ４が含まれているので、補助回遊動線ＴＬ４の分、周回移動できる範囲を広くすることができる。さらに、補助回遊動線ＴＬ４と第二回遊動線ＴＬ２が、廊下１０の長さ方向と直交する方向で更に重複し合っているので、補助回遊動線ＴＬ４と第二回遊動線ＴＬ２との連続性を高め、補助回遊動線ＴＬ４上にある領域と、第二回遊動線ＴＬ２上にある領域との間の行き来をより効率よく行うことができる。
【００５９】
また、就寝スペース１１ａと、水廻りスペース１１ｂと、ウォークインクローゼット１１ｃと、を有する主寝室１１を中心とした第一回遊動線ＴＬ１は、第一廊下１０から就寝スペース１１ａ、水廻りスペース１１ｂ、ウォークインクローゼット１１ｃ、第一収納室１３を通過し、第一廊下１０に戻る状態で形成されているので、就寝・起床や着替え、水廻り使用等の生活動作を、第一回遊動線ＴＬ１上において効率よく行うことができる。
【符号の説明】
【００６０】
１  建物
３  北側に位置する正面外壁
３４  玄関ドア
３５  玄関ポーチ
４  南側に位置する正面外壁
４１  ガレージシャッター
１０  第一廊下
１０ａ  壁
１０ｂ  壁
１０ｃ  壁
１０ｄ  壁
１０ｅ  壁
１０ｆ  壁
１１  主寝室
１１ａ  就寝スペース
１１ｂ  水廻りスペース
１１ｂ１  洗面脱衣所
１１ｂ２  トイレ
１１ｂ３  シャワー室
１１ｃ  ウォークインクローゼット
１２  キッチンルーム
１２ａ  出入口
１２ｂ  コンロ付きキッチン台
１２ｃ  アイランド型キッチン台
１２ｄ  垂れ壁
１３  第一収納室
１３ａ  出入口
１３ｂ  仕切壁
１４  ガレージ
１５  第二収納室
１５ａ  出入口
Ｄ１  ドア
Ｄ２  ドア
Ｄ３  ドア
Ｄ４  ドア
Ｄ５  ドア
ＴＬ１  第一回遊動線
ＴＬ２  第二回遊動線
ＴＬ３  第三回遊動線
ＴＬ４  補助回遊動線
【図１】
2020193491.tif 000003
【図２Ａ】
2020193491.tif 000004
【図２Ｂ】
2020193491.tif 000005
【図２Ｃ】
2020193491.tif 000006
【図２Ｄ】
2020193491.tif 000007
【図２Ｅ】
2020193491.tif 000008
【図２Ｆ】
2020193491.tif 000009
【図３】
2020193491.tif 000010
【図４】
2020193491.tif 000011